(57)【特許請求の範囲】
【請求項１】
無線チャネルの状態及び受信されるパケットの送信性能を測定するチャネル測定管理部と、前記無線チャネルの状態に対する無線チャネル状態情報及び前記パケットの送信性能に対するパケット送信性能情報に基づいて、サービス品質を測定し、前記サービス品質に応じて端末機のコーデックモードを決定するサービス品質制御部を有するコーデック制御部とを備えて、
前記無線チャネルの状態及びパケット送信性能の測定は端末機の受信部内の物理階層及びＭＡＣ階層処理部を介して行われ、
前記チャネル測定管理部は、無線チャネル品質を測定する無線チャネル品質測定部と、受信したパケットの送信性能を測定するパケット送信性能測定部とを備え、
前記パケット送信特性測定部は、通話中である端末機が互いにやり取りするマルチメディアパケットを利用して、パケット送信性能を測定し、マルチメディアデータの復号化動作に必要な情報を抽出することを特徴とする端末機。
【請求項２】
前記コーデック制御部は、
前記決定されたコーデックモードに応じて相手端末機にコーデックモード変更要請をシグナリングして前記相手端末機からのコーデックモード変更要請信号を受信した場合、これに対する応答メッセージをシグナリングする品質シグナリング部をさらに備えることを特徴とする請求項１に記載の端末機。
【請求項３】
前記無線チャネル品質測定部は、
前記端末機の受信部を介して受信された物理階層又はＭＡＣ階層フレームから抽出又は計算された情報を利用するか、又は端末で測定可能な無線リンクアクセス情報を利用して無線チャネルの品質を測定することを特徴とする請求項１に記載の端末機。
【請求項４】
前記サービス品質制御部は、
前記チャネル測定管理部から受信したマルチメディアパケットの送信特性情報と使用中のマルチメディアコーデック情報とを利用して、受信したマルチメディアサービス品質を測定するサービス品質測定部と、
前記チャネル測定管理部から受信した無線チャネル品質状態情報と前記サービス品質測定部から受信したマルチメディアサービス品質情報を利用して、端末機のマルチメディアコーデックモードを決定するコーデックモード制御部とを備えることを特徴とする請求項１に記載の端末機。
【請求項５】
前記サービス品質制御部は、
前記決定されたコーデックモードに応じてマルチメディアデータの符号化又は復号化情報を制御するコーデック動作制御部をさらに備えて、
前記マルチメディアデータの符号化又は復号化情報はサンプリング率、モノ／ステレオモード、互換性モード、入/出力ファイルなどの情報（ＥｎｃＰ、ＤｅｃＰ）であることを特徴とする請求項４に記載の端末機。
【請求項６】
マルチメディアデータの符号化又は復号化を行うコーデック部をさらに備え、
前記コーデック部は、前記コーデックモード制御部で決定されたコーデックモードに応じて符号化又は復号化を行うことを特徴とする請求項１に記載の端末機。
【請求項７】
前記コーデック制御部は、
受信された前記相手端末機のコーデックモードに基づいて、自身のコーデックモードを決定することを特徴とする請求項１に記載の端末機。
【請求項８】
前記コーデックモードは、
マルチメディアデータの符号化又は復号化方式モードであることを特徴とする請求項１に記載の端末機。
【請求項９】
前記コーデックモードは、可変ビットレートモードを含むことを特徴とする請求項１に記載の端末機。
【請求項１０】
受信されるパケットの送信特性を測定するステップと、
前記パケット送信性能に対するパケット送信性能情報に基づいてサービス品質を測定するステップと、
前記サービス品質によって、コーデックモードを決定するステップと、
端末機の受信部内の物理階層及びＭＣＡ階層インタフェースを介して通話中無線チャネルの状態を測定するステップを有し、
前記パケットの送信性能を測定するステップは、端末機の受信部内の物理階層及びＭＡＣ階層処理部を介して行われ、
前記サービス品質を測定するステップは、前記無線チャネルの状態情報およびパケット送信性能情報に基づいて、前記サービス品質が測定され、
前記無線チャネルの状態は、受信フレームの信号強度（ＲＳＳＩ）、受信フレーム送信率、受信フレーム損失率であり、
前記パケットの送信性能を測定するステップは、通話中である端末機が互いにやり取りするマルチメディアパケット及び制御パケットを利用して、パケット送信性能を測定し、マルチメディアデータの復号化動作に必要な情報を抽出することを特徴とするコーデック制御方法。
【請求項１１】
前記決定されたコーデックモードに応じてコーデックモード変更要請をシグナリングするステップをさらに含むことを特徴とする請求項１０に記載のコーデック制御方法。
【請求項１２】
前記無線チャネルの状態測定ステップは、
受信される物理階層又はＭＡＣ階層フレームから抽出又は計算された情報を利用するか、又は無線リンクアクセス情報を利用して、前記無線チャネルの品質を測定することを特徴とする請求項１０に記載のコーデック制御方法。
【請求項１３】
前記サービス品質測定ステップは、
前記マルチメディアパケットの送信性能情報と使用中のマルチメディアコーデック情報を利用して、前記マルチメディアサービス品質を測定することを特徴とする請求項１０に記載のコーデック制御方法。
【請求項１４】
前記コーデックモード決定ステップは、
前記無線チャネル品質状態情報と前記サービス品質測定部から受信したマルチメディアサービス品質情報を利用して、マルチメディアコーデックモードを決定することを特徴とする請求項１０に記載のコーデック制御方法。
【請求項１５】
前記決定されたコーデックモードに応じてマルチメディアデータの符号化又は復号化情報を制御するステップをさらに含むことを特徴とする請求項１０に記載のコーデック制御方法。
【請求項１６】
前記決定されたコーデックモードに応じて符号化及び復号化を行うステップをさらに含むことを特徴とする請求項１０に記載のコーデック制御方法。
【請求項１７】
前記無線チャネル状態情報は、
受信フレームの信号強度（ＲＳＳＩ）、受信フレーム送信率又は受信フレーム損失率を含むことを特徴とする請求項１０に記載のコーデック制御方法。
【請求項１８】
前記パケット送信性能情報は、
遅延、ジッター又は損失を含むことを特徴とする請求項１に記載の端末機。
【請求項１９】
前記パケット送信性能情報は、
遅延、ジッター又は損失を含むことを特徴とする請求項１０に記載のコーデック制御方法。
【発明の詳細な説明】
【技術分野】
【０００１】
本発明はコーデック制御方法及び端末機に関し、さらに詳細には、コーデックモード変更が可能な統合インターネットプロトコール網のコーデック制御方法及び端末機に関する。
【０００２】
本発明は、知識経済部及び情報通信研究振興院のＩＴ成長動力技術開発事業の一環として行った研究から導き出されたものである[課題管理番号２００８−Ｓ−０１１−０１、課題名：ＦＭＣアコースティック融合コーデック及び制御技術研究（標準化連携）]
【背景技術】
【０００３】
移動通信網のリンク適応（ｌｉｎｋ  ａｄａｐｔａｔｉｏｎ）方式の場合、無線チャネル品質を利用して可変ビット率特性を有する音声コーデックモードを制御する。無線チャネル品質指標（Ｑｕａｌｉｔｙ  Ｉｎｄｉｃａｔｏｒ）は、信号対雑音比（ｃａｒｒｉｅｒ  ｔｏ  ｉｎｔｅｒｆｅｒｅｒ  ｒａｔｉｏｎ、Ｃ／Ｉ）と定義される。現在の移動通信網コーデックモード制御方式の場合、インターネットを経由したパケット送信品質に応じるコーデックモード制御を考慮していない。そのため、有無線統合（Ｆｉｘｅｄ  Ｍｏｂｉｌｅ  Ｃｏｎｖｅｒｇｅｎｃｅ；ＦＭＣ）基盤の統合インターネットプロトコル網（Ａｌｌ−ＩＰ）のように、パケット送信特性が流動的な状況では、音声及び映像などを含んだマルチメディアサービスの品質（ＱｏＳ）を提供するのに問題がある。
【発明の概要】
【発明が解決しようとする課題】
【０００４】
本発明は、上記の問題点を解決するためになされたものであって、その目的は、統合インターネットプロトコル網において、無線チャネル品質、パケット送信品質及び端末又はユーザのサービス提供規約を適用して音声サービスを含んだマルチメディアサービスの品質を改善するためのコーデックモード変更が可能なコーデック制御方法及び端末機を提供することにある。
【課題を解決するための手段】
【０００５】
上記の目的を達成すべく、本発明の実施の形態にかかる端末機は、無線チャネルの状態及び受信されるパケットの送信性能を測定するチャネル測定管理部と、前記無線チャネルの状態に対する無線チャネル状態情報及び前記パケットの送信性能に対するパケット送信性能情報に基づいて、サービス品質を測定し、前記サービス品質に応じて端末機のコーデックモードを決定するサービス品質制御部を有するコーデック制御部とを備えて、前記無線チャネルの状態及びパケット送信性能の測定は端末機の受信部内の物理階層及びＭＡＣ階層処理部を介して行われ、前記チャネル測定管理部は、無線チャネル品質を測定する無線チャネル品質測定部と、受信したパケットの送信性能を測定するパケット送信性能測定部とを備え、前記パケット送信特性測定部は、通話中である端末機が互いにやり取りするマルチメディアパケットを利用して、パケット送信性能を測定し、マルチメディアデータの復号化動作に必要な情報を抽出することを特徴とする。
【０００６】
また、上記の目的を達成すべく、本発明の実施の形態にかかるコーデック制御方法は、受信されるパケットの送信特性を測定するステップと、前記パケット送信性能に対するパケット送信性能情報に基づいてサービス品質を測定するステップと、前記サービス品質によって、コーデックモードを決定するステップと、
端末機の受信部内の物理階層及びＭＣＡ階層インタフェースを介して通話中無線チャネルの状態を測定するステップを有し、前記パケットの送信性能を測定するステップは、端末機の受信部内の物理階層及びＭＡＣ階層処理部を介して行われ、前記サービス品質を測定するステップは、前記無線チャネルの状態情報およびパケット送信性能情報に基づいて、前記サービス品質が測定され、前記無線チャネルの状態は、受信フレームの信号強度（ＲＳＳＩ）、受信フレーム送信率、受信フレーム損失率であり、前記パケットの送信性能を測定するステップは、通話中である端末機が互いにやり取りするマルチメディアパケット及び制御パケットを利用して、パケット送信性能を測定し、マルチメディアデータの復号化動作に必要な情報を抽出することを特徴とする。
【発明の効果】
【０００７】
本発明の実施の形態によれば、統合インターネットプロトコル網のコーデックモード制御方法及び端末機は、無線チャネル状態情報及びパケット送信性能情報に基づいて、コーデックモードを可変することによって、音声又は映像サービスを含んだマルチメディアサービスの品質を改善できるようになる。また、ユーザのサービス満足度を向上させることができる。
【図面の簡単な説明】
【０００８】
【図１】本発明に係る有無線統合ネットワークを示す図である。
【図２】本発明の一実施の形態による有無線統合端末機における可変ビットレート／モードコーデック制御部を示す図である。
【図３】図２のチャネル測定管理部を示すブロック図である。
【図４】図２のサービス品質制御部を示すブロック図である。
【図５】第１端末機と第２端末機との間のサービス品質シグナリングを説明するために参照される図である。
【図６】端末機とコールサーバとの間の政策制御を説明するために参照される図である。
【発明を実施するための形態】
【０００９】
以下では、図面を参照して本発明をさらに詳細に説明する。
【００１０】
図面を例として、本発明による統合インターネットプロトコル（Ａｌｌ−ＩＰ）網において可変コーデック基盤のマルチメディアサービス品質制御技術について説明する。
【００１１】
図１は、本発明に係る有無線統合ネットワークを示す図である。
【００１２】
図を参照して説明すれば、本発明に係る可変コーデック制御システムが動作するネットワーク１００は、有無線統合（ＦＭＣ）ネットワークでありえ、ＩＰバックボーンネットワーク（Ｉｎｔｅｒｎｅｔ  Ｐｒｏｔｏｃｏｌ  Ｂａｃｋｂｏｎｅ  ｎｅｔｗｏｒｋ）１１０を中心に無線移動通信網１２０、及び無線ＬＡＮ１３０を具備できる。無線移動通信網１２０としては、図には３Ｇ（ＷＣＤＭＡ／ＨＳＤＰＡ）アクセス網を示しているが、これに限定されず、多様な移動通信網が可能であり、例えば、４Ｇのワイマックス（ＷｉＭａｘ）、ワイブロ（ＷｉＢｒｏ）、又は３ＧＰＰ  ＬＴＥ（Ｌｏｎｇ  Ｔｅｒｍ  Ｅｖｏｌｕｔｉｏｎ）などが挙げられる。
【００１３】
可変コーデック及び可変コーデック制御機能を搭載した統合インターネットプロトコル網の端末機１４０、１５０は、それぞれノードＢ（Ｎｏｄｅ−Ｂ）とアクセスポイント（ＡＰ）とを介してネットワークに接続され、各端末機１４０、１５０間の呼（ｃａｌｌ）設定制御を担当するコールサーバ１６０がネットワークに接続される。
【００１４】
端末機１４０、１５０は、統合インターネットプロトコル（Ａｌｌ−ＩＰ）網で使用可能な端末機であって、特に有無線データ網１３０と移動通信網１２０の統合である有無線統合（ＦＭＣ）基盤の統合インターネットプロトコル（Ａｌｌ−ＩＰ）網で使用可能な端末機でありうる。また、端末機１４０、１５０は、本発明の実施の形態によって、可変コーデック制御部２００を具備できる。可変コーデック制御部２００は、チャネル測定管理部２２０、サービス品質制御部２４０、品質シグナリング部２６０を備えることができる。これについての詳細な説明は、図２以下を参照して後述する。
【００１５】
一方、端末機１４０、１５０は、異種有線網（ＰＳＴＮ、ＩＳＤＮ、ｘＤＳＬ、ＷＡＮ／ＬＡＮ等）と無線網（３Ｇ、ＷｉＢｒｏ等）間の移動時にも同じサービスの提供を受けることができ、端末移動性、サービス移動性及びセッション移動性などが提供されることができる。
【００１６】
このような、端末機１４０、１５０として、図には携帯電話を示しているが、これに限定されず、ネットブック、ノートブック、デスクトップコンピュータなど多様な形態の端末機が可能である。
【００１７】
一方、コールサーバ１６０は、端末機１４０、１５０の可変コーデック制御のために、端末サービス政策制御を行うことができる。
【００１８】
図２は、本発明の一実施の形態による統合インターネットプロトコル網の端末機での可変コーデック制御部を示す図である。
【００１９】
図面を参照して説明すれば、図２の統合インターネットプロトコル網の端末機での可変コーデック制御部２００は、チャネル測定管理部２２０、サービス品質制御部２４０、及び品質シグナリング部２６０を備える。
【００２０】
チャネル測定管理部２２０（Ｃｈａｎｎｅｌ  Ｓｔａｔｕｓ  Ｍｅａｓｕｒｅｍｅｎｔ  ＆  Ｍａｎａｇｅｍｅｎｔ；ＣＳＭＭ）は、無線チャネル品質測定部２２５（Ｗｉｒｅｌｅｓｓ  Ｃｈａｎｎｅｌ  Ｍｅａｓｕｒｅｍｅｎｔ；ＷＣＭ）、パケット送信特性測定部２３０（Ｐａｃｋｅｔ  Ｅｖａｌｕａｔｉｏｎ；ＰＥ）を備える。
【００２１】
無線チャネル品質測定部２２５（Ｗｉｒｅｌｅｓｓ  Ｃｈａｎｎｅｌ  Ｍｅａｓｕｒｅｍｅｎｔ；ＷＣＭ）は、端末機の受信部４１０を介して受信された物理階層又はＭＡＣ階層フレームから抽出又は計算された情報を利用するか、又は端末で測定可能な無線リンクアクセス情報を利用して無線チャネルの品質を測定する。
【００２２】
パケット送信特性測定部２３０（Ｐａｃｋｅｔ  Ｅｖａｌｕａｔｉｏｎ；ＰＥ）は、通話中である端末機が互いにやり取りするマルチメディアパケットを利用して、パケット送信特性を測定し、マルチメディアデータの復号化動作に必要な情報を抽出する。
【００２３】
サービス品質制御部２４０（Ｓｅｒｖｉｃｅ  Ｑｕａｌｉｔｙ  Ｃｏｎｔｒｏｌ；ＳＱＣ）は、サービス品質測定部２４５（Ｓｅｒｖｉｃｅ  Ｑｕａｌｉｔｙ  Ｍｅａｓｕｒｅｍｅｎｔ；ＳＱＭ）、コーデックモード制御部２５０（Ｃｏｄｅｃ  Ｍｏｄｅ  Ｃｏｎｔｒｏｌ；ＣＭＣ）、コーデック動作制御部２５５（Ｃｏｄｅｃ  Ｏｐｅｒａｔｉｏｎ  Ｃｏｎｔｒｏｌ；ＣＯＣ）を備える。
【００２４】
サービス品質測定部２４５（Ｓｅｒｖｉｃｅ  Ｑｕａｌｉｔｙ  Ｍｅａｓｕｒｅｍｅｎｔ；ＳＱＭ）は、チャネル測定管理部２２０から受信したマルチメディアパケットの送信性能情報と使用中のマルチメディアコーデック情報とを利用して、受信したマルチメディアサービス品質を測定する。
【００２５】
コーデックモード制御部２５０（Ｃｏｄｅｃ  Ｍｏｄｅ  Ｃｏｎｔｒｏｌ；ＣＭＣ）は、チャネル測定管理部２２０から受信した無線チャネル品質状態情報とサービス品質測定部２４５から受信したマルチメディアサービス品質情報を利用して、自分又は相手端末機のマルチメディアコーデックモードを決定する。
【００２６】
一方、コーデックモード制御部２５０は、相手端末機からコーデックモード変更要請信号を受信することができ、これによりコールサーバ１６０の政策制御部１７０から受信されたマルチメディアコーデック情報を、自身のコーデックモードとして決定することもできる。
【００２７】
コーデック動作制御部２５５（Ｃｏｄｅｃ  Ｏｐｅｒａｔｉｏｎ  Ｃｏｎｔｒｏｌ；ＣＯＣ）は、コーデックモード制御部２５０で決定されたコーデックモード又は相手端末機から受信した決定されたコーデックモードに応じて、マルチメディアデータの符号化又は復号化情報を制御する。
【００２８】
品質シグナリング部２６０（ＱｏＳ  Ｓｉｇｎａｌｉｎｇ）は、コーデックモード制御部２５０で決定されたコーデックモードに応じて、相手端末機にコーデックモード変更要請をシグナリングする。
【００２９】
一方、品質シグナリング部２６０は、相手端末機からのコーデックモード変更要請信号を受信する場合、これに対する応答メッセージをシグナリングする。
【００３０】
一方、端末機１４０、１５０は、マルチメディア処理のための符号化部３１０と復号化部３２０とを有するコーデック部３００、及び無線接続のための受信部４１０と送信部４２０とを有するインターフェース部４００をさらに備える。
【００３１】
コーデック部３００は、可変コーデック制御部２００で決定されたコーデックモードに応じてマルチメディアデータを符号化又は復号化する。
【００３２】
マルチメディアデータの符号化又は復号化は、音声データである場合、Ｇ．７１１乃至Ｇ．７２９のＧ．ｘｘｘ系、ＡＣ３、ＡＡＣ、ＷＭＡなどの多様な音声コーデックモードに応じて行われることができ、映像データの場合、ＭＰＥＧ−２、ＭＰＥＧ−４などのＭＰＥＧ系、Ｈ−２６４をはじめとするＨ−２６ｘ系、ＶＣ−１、ＷＭＡなどの多様な映像コーデックモードに応じて行われることが可能である。
【００３３】
一方、コーデック部３００は、可変コーデック制御部２００で決定されたコーデックモードに応じて、可変ビットレート（Ｖａｒｉａｂｌｅ  ｂｉｔｒａｔｅ；ＶＢＲ）で符号化又は復号化を行うことが可能である。例えば、マルチメディアデータのうち、音声データをＭＰ３、ＷＭＡ、ＡＡＣなどの音声コーデックモードで符号化又は復号化する場合、単位ビット当たりの割り当てる容量を効率的に調節できるように、可変ビットレートで符号化又は復号化できる。また、マルチメディアデータのうち、映像データをＭＰＥＧ−２などの映像コーデックモードで符号化又は復号化する場合、可変ビットレートで符号化又は復号化できる。
【００３４】
このように、無線チャネル状態情報はもちろん、パケット送信特性情報にも基づいてコーデックモードを可変することによって、音声又は映像サービスを含んだマルチメディアサービスの品質を改善できるようになる。
【００３５】
インターフェース部４００は、無線接続のための受信部４１０と送信部４２０とを備える。
【００３６】
端末機受信部４１０は、相手端末機からの符号化されたマルチメディアデータ、相手端末機からのコーデックモード変更要請、物理階層又はＭＡＣ階層フレームなどを受信する。
【００３７】
端末機の送信部４２０は、品質シグナリング部２６０でシグナリングされたコーデックモード変更要請、コーデック部３００で符号化されたマルチメディアデータなどを相手端末機に送信する。
【００３８】
一方、コールサーバ１６０は、呼処理のための呼処理部１６５（Ｃａｌｌ  Ｐｒｏｃｅｓｓｉｎｇ  Ｕｎｉｔ）、及びコーデックモード制御のための政策制御部１７０（Ｐｏｌｉｃｙ  Ｃｏｎｔｒｏｌｌｅｒ）を備える。政策制御部１７０は、初期セットアップ時にマルチメディアコーデック情報を端末機に送信する。
【００３９】
図３は、図２のチャネル測定管理部を示すブロック図である。
【００４０】
図面を参照して説明すれば、チャネル測定管理部２２０は、統合インターネットプロトコル網の端末機の受信部４１０内の物理階層及びＭＡＣ階層インターフェース４１５を介して、通話中無線チャネル状態を測定する。
【００４１】
また、チャネル測定管理部２２０は、統合インターネットプロトコル網の端末機の受信部４１０内の物理階層及びＭＡＣ階層処理部４２０を介して、通話中相手端末から受信した音声パケットから遅延、ジッター、損失のような送信特性を測定する。
【００４２】
測定された無線チャネル状態情報及びパケット送信特性情報は、サービス品質制御部２４０に伝達されて、通話中相手端末機のコーデックモード制御に活用される。
【００４３】
チャネル測定管理部２２０の動作について具体的に説明すれば、まず無線チャネル品質測定部２２５は、サービス品質制御部２４０から物理階層及び媒体接近制御（ＭＡＣ）階層の無線チャネル品質測定情報抽出命令（Ｃｈａｎｎｅｌ  Ｍｅａｓｕｒｅｍｅｎｔ  Ｃｏｍｍａｎｄ）を受信すれば、無線受信部４１０で受信される無線チャネル品質情報（Ｃｈａｎｎｅｌ  Ｍｅａｓｕｒｅｍｅｎｔ  ｐａｒａｍｅｔｅｒ）、例えば、受信フレームの信号強度（ＲＳＳＩ）、受信フレーム送信率、受信フレーム損失率などを抽出して、測定されたチャネル品質（Ｃｈａｎｎｅｌ  Ｑｕａｌｉｔｙ；ＣＱ）をサービス品質制御部２４０内のコーデックモード制御部２５０に伝達する。
【００４４】
次に、パケット送信特性測定部２３０は、サービス品質制御部２４０からパケット送信特性情報抽出及び測定命令（ＰＡｃｋｅｔ  Ｍｅａｓｕｒｅｍｅｎｔ  Ｃｏｍｍａｎｄ）を受信すると、相手端末機から受信したマルチメディアデータ及び制御パケットからなるマルチメディアパケットストリーム（Ｍｕｌｔｉｍｅｄｉａ  Ｐａｃｋｅｔ  Ｓｔｒｅａｍ）からパケット送信特性、例えば遅延、ジッター（Ｊｉｔｔｅｒ）、損失などを測定して、測定されたパケット送信特性情報（Ｐａｃｋｅｔ  Ｍｅａｓｕｒｅｍｅｎｔ  Ｐａｒａｍｅｔｅｒ；ＰＭＰ）をサービス品質制御部２４０内のサービス品質測定部２４５に伝達する。
【００４５】
また、パケット送信特性測定部２３０は、マルチメディア復号化部３２０の動作に必要な情報（Ｍｕｌｔｉｍｅｄｉａ  Ｄｅｃｏｄｉｎｇ  Ｐａｒａｍｅｔｅｒ；ＭＤＰ）、例えば、デコード率、モノ／ステレオ（Ｍｏｎｏ／Ｓｔｅｒｅｏ）などを抽出して、サービス品質制御部２４０内のコーデック動作制御部２５５に伝達する。
【００４６】
一方、パケット送信特性測定部２３０は、相手端末機から受信されたコーデックモード変更要請信号（Ｒｅｃｅｉｖｅｄ  Ｃｏｄｅｃ  Ｍｏｄｅ  Ｃｈａｎｇｅ  Ｒｅｑｕｅｓｔ；ＲｘＣＭＣＲ）をサービス品質制御部２４０内のコーデックモード制御部２５０に伝達する。
【００４７】
図４は、図２のサービス品質制御部を示すブロック図である。
【００４８】
図面を参照して説明すれば、サービス品質制御部２４０は、チャネル測定管理部２２０から無線チャネル状態情報（Ｃｈａｎｎｅｌ  Ｑｕａｌｉｔｙ；ＣＱ）、パケット送信特性情報（ＰＭＰ）、コーデック情報などを受信してマルチメディアサービス品質を測定し、測定された品質結果に応じて相手のコーデックモードを制御する。
【００４９】
また、サービス品質制御部２４０は、受信パケットからマルチメディアデコード情報（ＭＤＰ）を抽出してマルチメディア復号化部３２０を制御し、相手端末機から受信したコーデックモード変更要請メッセージＲｘＣＭＣＲから変更されるコーデックモード情報を抽出して、マルチメディア符号化部３１０に適用する。
【００５０】
サービス品質制御部２４０の動作について具体的に説明すれば、まずサービス品質測定部２４５は、パケット送信特性測定部２３０から受信したマルチメディアパケットの送信特性情報（ＰＭＰ）と使用中のマルチメディアコーデック情報を利用して、通話中相手から受信したマルチメディアサービス品質（Ｓｅｒｖｉｃｅ  Ｑｕａｌｉｔｙ；ＳＱ）、例えば、Ｒ値（ｅ−ｍｏｄｅｌ）などを測定する。測定されたサービス品質（ＳＱ）は、コーデックモード制御部２５０に伝達される。
【００５１】
次に、コーデックモード制御部２５０は、チャネル測定管理部２２０の無線チャネル品質測定部２２５から受信した無線チャネル品質状態情報（ＣＱ）と、サービス品質測定部２４５から受信したマルチメディアサービス品質情報（ＱＳ）を利用して、自分又は相手端末機のマルチメディアコーデックモードを決定する。
【００５２】
次に、コーデック動作制御部２５５は、パケット送信特性測定部２３０とコーデックモード制御部２５０から該当マルチメディアパケットのエンコード／デコードに必要な情報（ＭＥＰ、ＭＤＰ）を受信して、マルチメディアコーデックの動作に必要なサンプリング率、モノ／ステレオモード、互換モード、入／出力ファイルなどの情報（ＥｎｃＰ、ＤｅｃＰ）を制御する。
【００５３】
図５は、第１端末機と第２端末機との間のサービス品質シグナリングを説明するために参照される図である。
【００５４】
図面を参照して説明すれば、第１端末機５００は、パケット送信特性測定部５１０（ＰＥ）、コーデックモード制御部５２０（ＣＭＣ）、品質シグナリング部５３０を備える。第２端末機５５０は、コーデックモード制御部５６０（ＣＭＣ）、品質シグナリング部５７０、及びパケット送信特性測定部５８０、ＰＥ）を備える。
【００５５】
まず、第２端末機５５０のコーデックモード制御部５６０（ＣＭＣ）からコーデックモード変更送信要請メッセージＴｘＣＭＣＲが出力されると、品質シグナリング部５７０でアプリケーション階層のＱｏＳシグナリングメッセージを生成して、ネットワークを介して第１端末機５００にこれを送信する。
【００５６】
次に、第１端末機５００のパケット送信特性測定部５１０（ＰＥ）は、受信されたコーデックモード変更要請信号（Ｒｅｃｅｉｖｅｄ  Ｃｏｄｅｃ  Ｍｏｄｅ  Ｃｈａｎｇｅ  Ｒｅｑｕｅｓｔ）ＲｘＣＭＣＲを出力し、コーデックモード制御部５２０（ＣＭＣ）は、コーデックモード変更要請に対する応答メッセージ（Ｒｅｓｐｏｎｓｅ  ｔｏ  ｔｈｅ  Ｃｏｄｅｃ  Ｍｏｄｅ  Ｃｈａｎｇｅ  Ｒｅｑｕｅｓｔ）ＲｓｐＣＭＣＲを出力して、品質シグナリング部５３０にＱｏＳシグナリングを要求する。これにより、品質シグナリング部５３０は、応答メッセージ（Ｒｅｓｐｏｎｓｅ  Ｍｅｓｓａｇｅ）をネットワークを介して第２端末機５５０に送信する。
【００５７】
次に、第２端末機５００のパケット送信特性測定部５８０（ＰＥ）は、第１端末機５００からの応答メッセージを受信し、これにより受信された応答メッセージＲｘＲｓｐＣＭＣＲをコーデックモード制御部５６０（ＣＭＣ）に送信する。
【００５８】
図６は、端末機とコールサーバとの間の政策制御を説明するために参照される図である。
【００５９】
図面を参照して説明すれば、端末機６００は、パケット送信特性測定部６１０（ＰＥ）、コーデックモード制御部６２０（ＣＭＣ）、品質シグナリング部６３０、サービス品質測定部６４０（ＳＱ）を備える。
【００６０】
コールサーバ６５０は、呼処理のための呼処理部６６０（Ｃａｌｌ  Ｐｒｏｃｅｓｓｉｎｇ  Ｕｎｉｔ）、及びコーデックモード制御のための政策制御部６７０（Ｐｏｌｉｃｙ  Ｃｏｎｔｒｏｌｌｅｒ）を備える。また、コールサーバ６５０は、政策制御部６７０からのデータを格納する格納部６７５をさらに備えることができる。
【００６１】
コーデックモード制御のための政策制御部６７０（Ｐｏｌｉｃｙ  Ｃｏｎｔｒｏｌｌｅｒ）は、端末機６００のインターフェースを介して、呼設定制御政策、及び端末機６００のサービスレベル情報を受信して、呼受諾、変更、拒絶を決定するための基準値をユーザプロファイル（Ｕｓｅｒ  Ｐｒｏｆｉｌｅ）として格納部６７５に格納して管理する。
【００６２】
一方、本発明は、またコンピュータで読み出すことのできる記録媒体にコンピュータが読み出すことのできるコードとして具現化することが可能である。コンピュータが読み出すことのできる記録媒体は、コンピュータシステムによって読み出されることのできるデータが格納されるすべての種類の記録装置を備える。コンピュータが読み出すことのできる記録媒体の例には、ＲＯＭ、ＲＡＭ、ＣＤ−ＲＯＭ、磁気テープ、フロッピーディスク、光データ格納装置などがあり、またキャリアウェーブ（例えばインターネットを介した送信）の形態で具現化されることも含む。また、コンピュータが読み出すことのできる記録媒体は、ネットワークで接続したコンピュータシステムに分散されて、分散方式でコンピュータが読み出すことのできるコードが格納され実行されることができる。
【００６３】
以上、本発明の好ましい実施の形態について図示し説明したが、本発明は、上述した特定の実施の形態に限定されるものではなく、請求の範囲で請求する本発明の要旨から逸脱せずに、当該発明が属する技術分野における通常の知識を有した者により多様な変形実施が可能であることはもちろんで、このような変形実施は、本発明の技術的思想又は展望から個別的に理解されてはならない。
【図１】
0005575804.tif 000002
【図２】
0005575804.tif 000003
【図３】
0005575804.tif 000004
【図４】
0005575804.tif 000005
【図５】
0005575804.tif 000006
【図６】
0005575804.tif 000007